(57)【要約】【課題】  複数の受信モジュールを搭載した場合にも入力コネクタを整然と、且つコンパクトに配置する。【解決手段】  複数の受信モジュール１，２が配線基板３に実装されてなる受信装置である。１つの受信モジュール１に、受信モジュールの数に対応して複数の入力コネクタ４，５が設けられる。入力コネクタが設けられていない受信モジュール２は、受信モジュール１に設けられた複数の入力コネクタ４，５のうち対応する入力コネクタ５に対して、配線基板３に形成された配線（ストリップライン）７を介して接続されている。【選択図】  図１ 
2005333503.tif 000002
【特許請求の範囲】
【請求項１】
複数の受信モジュールが基板に実装されてなる受信装置において、
いずれか１の受信モジュールに、前記複数の受信モジュールの数に対応して複数のコネクタが設けられ、
コネクタが設けられていない受信モジュールは、前記受信モジュールに設けられた複数のコネクタのうち対応するコネクタに対して、前記基板に形成された配線を介して接続されていることを特徴とする受信装置。
【請求項２】
前記コネクタが設けられた受信モジュールの入力周波数は、他の受信モジュールの入力周波数よりも高いことを特徴とする請求項１記載の受信装置。
【請求項３】
前記コネクタが設けられた受信モジュールが縦型モジュールであり、他の受信モジュールが縦型モジュール又は伏せ型モジュールであることを特徴とする請求項１又は２記載の受信装置。
【請求項４】
前記コネクタが設けられた受信モジュールと他の受信モジュールとは、寸法、形状の少なくとも一方が互いに異なることを特徴とする請求項３記載の受信装置。
【請求項５】
前記コネクタが設けられた受信モジュールが伏せ型モジュールであり、他の受信モジュールが伏せ型モジュールであることを特徴とする請求項１又は２記載の受信装置。
【発明の詳細な説明】
【技術分野】
【０００１】
本発明は、複数の受信モジュールを組み込んだ受信装置に関するものであり、特に、入力部の構造の改良に関する。
【背景技術】
【０００２】
例えば、映像受信機やオーディオ機器等は、電子チューナーと称される受信装置が搭載されており、この受信装置によって電波を受信し、各種映像信号や音信号等を再生するようにしている。そして、前記電子チューナーは、例えば特許文献１等に開示されるように、受信電波に対応する受信モジュールを基板に実装することにより構成されている。
【０００３】
特許文献１に記載される電子チューナーの構成について説明すると、電子部品や集積回路素子等を実装した配線基板或いは電子部品等が金属薄板によって形成された構成各部材を全体箱状に組み立ててなるシールドケース内に収納され、このシールドケースが本体装置のパネルに取り付けられている。特許文献１記載の発明では、シールドケースの小型軽量化を保持して天井板や底板の内部への落ち込みを防止し、ショートや収納部品等の破損を確実に防止することを目的に、シールドケースの構造に改良が加えられている。
【０００４】
ところで、前述の電子チューナーとしては、２種類以上の電波に対応して、複数の受信モジュールを搭載した電子チューナーが開発されており、受信モジュールの基板への搭載方法に関しても種々の改良が試みられている（例えば、特許文献２等を参照）。
【０００５】
特許文献２記載の発明は、テレビジョン放送波を受信して一方の放送波をブラウン管上に映し出すと共に他方の放送波を同時にビデオテープレコーダに録画するビデオテープレコーダ付テレビジョン受像機や、２画面テレビジョン受像機等に代表される複数のテレビジョン放送波を同時に受信する複数放送波の受信装置等のように、複数放送波の受信装置に関するものである。
【０００６】
前記特許文献２記載の発明では、第１の電子チューナのケースの縦側面に入力端子を設け、この縦側面に隣接する下方の横側面にそれぞれ同一形状をした前記第１の電子チューナの高周波信号の出力端子と、データ入力端子と、電源端子と、中間周波数の出力端子とを設け、第２の電子チューナの下方の横側面にそれぞれ同一形状をした前記第２の電子チューナの入力端子と、データ入力端子と、電源端子と、中間周波数の出力端子とを設け、これら第１の電子チューナの下方の横側面に設けられた端子と前記第２の電子チューナの下方の横側面に設けられた端子を親プリント基板に直接半田付けすると共に、前記第１の電子チューナの高周波信号の出力端子と第２の電子チューナの入力端子とを前記親プリント基板上でパターン接続する構成としている。
【特許文献１】特開２００２−２８０９１２号公報
【特許文献２】特開平１１−３４１３７４号公報
【発明の開示】
【発明が解決しようとする課題】
【０００７】
前述のように、特許文献２記載の発明では、第１の電子チューナーの高周波信号の出力端子と第２の電子チューナの入力端子（入力コネクタ）とを接続するというのが基本的な考えであり、設けられる外部入力コネクタは１つだけである。この入力コネクタからの入力信号を分配器により分配して各電子チューナーに入力している。しかしながら、各電子チューナーの周波数帯域によっては、前記分配器による分配では対応が難しい場合があり、この場合には、各電子チューナー（受信モジュール）にそれぞれ入力コネクタを設ける必要がある。
【０００８】
しかしながら、複数の受信モジュールに対応して複数の入力コネクタを設ける場合、受信装置全体における入力コネクタの配置に不都合が生ずる場合がある。例えば、図６に示すように縦型の受信モジュール１０１，１０２を基板１０３に実装する場合、図６（ａ）に示すように、受信モジュール１０２と受信モジュール１０２とが製造メーカーの違い等に起因して形状や寸法が異なり、各受信モジュール１０１，１０２における入力コネクタ１０４，１０５の取り付け高さ等が異なると、図６（ｂ）に示すように、受信装置全体で見たときに、入力コネクタ１０４，１０５の取り付け高さが相違してしまい、外観上、好ましくないばかりか、接続操作等においても不利である。
【０００９】
伏せ型の実装においても同様であり、例えば図７（ａ），（ｂ）に示すように、２つの受信モジュール１０１，１０２を横にして実装した場合、受信モジュール１０１の長さによって入力コネクタ１０４，１０５間の距離が大となり、外観上や操作上において、やはり問題が残る。
【００１０】
本発明は、前述のような従来のものの有する欠点を解消するために提案されたものであり、複数の受信モジュールを搭載した場合にも入力コネクタを整然と、且つコンパクトに配置することができ、外観上、あるいは操作上等において、良好な構成とすることが可能な受信装置を提供することを目的とする。
【課題を解決するための手段】
【００１１】
上述の目的を達成するために、本発明に係る受信装置は、複数の受信モジュールが基板に実装されてなる受信装置において、いずれか１の受信モジュールに前記複数の受信モジュールの数に対応して複数のコネクタが設けられ、コネクタが設けられていない受信モジュールは、前記受信モジュールに設けられた複数の入力コネクタのうち対応するコネクタに対して、前記基板に形成された配線を介して接続されていることを特徴とする。
【００１２】
本発明の受信装置では、複数の受信モジュールにそれぞれコネクタが設けられており、分配器による分配の必要がないので、各受信モジュールの周波数帯域に制約が加わることがなく、干渉等の受信障害等が発生することもない。また、いずれか１の受信モジュールに受信モジュールの数に対応して複数のコネクタを設けるようにしているので、たとえ受信モジュールの寸法や形状等が異なったとしても、コネクタは整然と整列され、且つコンパクトに配置される。
【発明の効果】
【００１３】
本発明によれば、複数の受信モジュールを搭載した場合にも入力コネクタを整然と、且つコンパクトに配置することができ、外観上、あるいは操作上等において、良好な構成とすることが可能である。
【発明を実施するための最良の形態】
【００１４】
以下、本発明を適用した受信装置について、図面を参照して詳細に説明する。
（第１の実施形態）
本実施形態は、伏せ型モジュール配列の例である。本実施形態では、２つの受信モジュールを伏せた状態で基板に実装している。
【００１５】
図１（ａ），（ｂ）及び図２は、本実施形態の受信装置を示すものであり、２つの受信モジュール１，２が配線基板３上に実装されている。各受信モジュール１，２は、受信回路部品等が実装されて受信回路が構成された回路基板がシールドケースに内蔵されて構成され、その外観形状は、筐体状である。
【００１６】
これら受信モジュール１，２においては、それぞれに入力コネクタが設けられるのが通常であるが、本実施形態では、一方の受信モジュール１にのみ入力コネクタが設けられている。ここで、受信モジュール１に設けられる入力コネクタは、受信モジュール１に内蔵される受信回路用の入力コネクタ４と、受信モジュール２に内蔵される受信回路用の入力コネクタ５の２つである。なお、本実施形態では、配線基板３に実装される受信モジュールの数を２としたが、これに限らず、例えば３以上の受信モジュールを実装してもよい。この場合には、実装される受信モジュールの数に応じて１の受信モジュールに複数の入力コネクタを設ける必要があり、例えば３つの受信モジュールを実装する場合には、１の受信モジュールに３つの入力コネクタを設けることになる。
【００１７】
前述の各受信モジュール１，２は、それぞれ配線基板３上に実装されるが、本実施形態では、図１（ａ），（ｂ）及び図２にも示すように、各受信モジュール１，２が横置きとなる、いわゆる伏せ型モジュール配列とされている。この伏せ型モジュール配列の場合、筐体６に収容した状態で高さ寸法を抑えることができるが、各受信モジュール１，２にそれぞれ入力コネクタを設けると、入力コネクタ間の距離が大となる。
【００１８】
本実施形態の受信装置では、１の受信モジュール１に２つの受信モジュール１，２の入力コネクタ４，５を設けているので、これら入力コネクタ４，５間の距離が大きくなることはなく、図１（ｂ）に示すように、僅かな間隔で整然と配列することができる。
【００１９】
ただし、受信モジュール１に２つの入力コネクタ４，５を設ける場合、入力コネクタの無い受信モジュール２と、前記受信モジュール１に設けられた入力コネクタ５とを電気的に接続する必要がある。そこで、本実施形態の受信装置では、図１（ａ）及び図２に示すように、配線基板３上にストリップライン７を形成し、このストリップライン７によって受信モジュール２の受信回路と入力コネクタ５との間を電気的に接続している。
【００２０】
このように、入力コネクタの無い受信モジュール２と、他の受信モジュール１に設けられた入力コネクタ５の間をストリップライン７で接続する場合、受信モジュール２の方が受信モジュール１よりも受信周波数の低いことが好ましい。換言すれば、入力コネクタを追加する受信モジュール１は、入力周波数が高い方の受信モジュールとすることが好ましい。その理由としては、信号妨害対策の点、及び低い周波数の方が容易に配線（ストリップライン）を引き回すことができるからである。
【００２１】
本実施形態では、入力周波数の高い受信モジュール１に入力コネクタ４，５を設けるとともに、受信モジュール２用の入力コネクタ５を受信モジュール２に近い側に配置し、ストリップライン７の距離ができる限り短くなるようにしている。
【００２２】
以上の構成を有する受信装置では、伏せ型モジュール配列でありながら、入力コネクタ４，５をコンパクトに整然と配列することが可能であり、見栄えが良く、外観上、良好であるばかりでなく、前記入力コネクタ４，５への接続作業における操作性も良好なものとなる。
（第２の実施形態）
本実施形態は、縦型モジュール配列とした例である。受信装置の基本的な構成は、先の第１の実施形態のものと同様であり、図３（ａ）に示すように、第１の受信モジュール１１と第２の受信モジュール１２が配線基板１３上に実装され、図３（ｂ）に示すように、筐体１４に収容されている。また、第１の受信モジュール１１に、２つの受信モジュール１１，１２に対応して２つの入力コネクタ１５，１６が設けられ、配線基板１３に形成されたストリップライン１７によって第２の受信モジュール１２と入力コネクタ１６との間が電気的に接続されている。
【００２３】
ただし、本実施形態の受信装置では、各受信モジュール１１，１２を先の第１の実施形態の場合にように横置きとする伏せ型モジュール配列とするのではなく、各受信モジュール１１，１２を縦置きとし、縦型モジュール配列としている。縦型モジュール配列の場合、高さ寸法は大きくなるが、設置面積が小さくて済むというメリットを有する。
【００２４】
また、縦型モジュール配列の場合、例えば第１の受信モジュール１１と第２の受信モジュールが製造メーカーが異なる場合には、図４（ａ），（ｂ）に示すように、例えば高さ寸法が異なる等、画一化されたモジュールの配列実現することが困難になる場合がある。このように高さ寸法の異なる受信モジュールに対して、それぞれに入力コネクタを設けると、入力コネクタの位置が違ってしまい、見た目も悪い。本実施形態では、１つの受信モジュール１１に入力コネクタ１５，１６を設けているので、受信モジュール１１，１２の高さの違い等を意識する必要がなく、入力コネクタ１５，１６を整然と配列することができるので、見た目も良好である。
（第３の実施形態）
本実施形態は、図５に示すように、受信モジュール２１を縦型モジュールとして配線基板２３に実装し、受信モジュール２２を伏せ型モジュールとして横置き状態で配線基板２３に実装した例である。
【００２５】
このような変則的な実装状態とした場合にも、一方の受信モジュール２１に２つの入力コネクタ２４，２５を設けることで、入力コネクタ２４，２５をコンパクトに整然と配列することが可能である。なお、本例では、縦型の受信モジュール２１に入力コネクタ２４，２５を設けるようにしたが、伏せ型の受信モジュール２２に入力コネクタ２４，２５を設けるようにしてもよい。
【図面の簡単な説明】
【００２６】
【図１】第１の実施形態の受信装置の構成を示すものであり、（ａ）は配線基板への受信モジュールの実装状態を示す正面図、（ｂ）は筐体に収容した状態を示す正面図である。
【図２】第１の実施形態の受信装置の概略平面図である。
【図３】第２の実施形態の受信装置の構成を示すものであり、（ａ）は配線基板への受信モジュールの実装状態を示す正面図、（ｂ）は筐体に収容した状態を示す正面図である。
【図４】高さ寸法の異なる受信モジュールを縦型モジュール配列した受信装置の構成を示すものであり、（ａ）は配線基板への受信モジュールの実装状態を示す正面図、（ｂ）は筐体に収容した状態を示す正面図である。
【図５】受信モジュールの実装を縦型と伏せ型の組み合わせとした受信装置の構成を示す概略正面図である。
【図６】高さ寸法の異なる受信モジュールを縦型モジュール配列した受信装置の一例を示すものであり、（ａ）は配線基板への受信モジュールの実装状態を示す正面図、（ｂ）は筐体に収容した状態を示す正面図である。
【図７】受信モジュールを伏せ型モジュール配列した受信装置の一例を示すものであり、（ａ）は配線基板への受信モジュールの実装状態を示す正面図、（ｂ）は筐体に収容した状態を示す正面図である。
【符号の説明】
【００２７】
１，２，１１，１２，２１，２２  受信モジュール、３，１３，２３  配線基板、４，５，１５，１６，２４，２５  入力コネクタ、６，１４  筐体、７，１７  ストリップライン
【図１】
2005333503.tif 000003
【図２】
2005333503.tif 000004
【図３】
2005333503.tif 000005
【図４】
2005333503.tif 000006
【図５】
2005333503.tif 000007
【図６】
2005333503.tif 000008
【図７】
2005333503.tif 000009